【手続補正書】
【提出日】平成18年11月1日(2006.11.1)
【手続補正１】
【補正対象書類名】特許請求の範囲
【補正対象項目名】全文
【補正方法】変更
【補正の内容】
【特許請求の範囲】
【請求項１】
管腔内に送達するためのプロテーゼ上に有益な薬剤を装填する方法であって、該方法は、
その長さに沿って画定された中心軸を有する環状部材を含み、管腔内に配置されるプロテーゼを提供する工程と、
プロテーゼから送達されるべき有益な薬剤を提供する工程と、
有益な薬剤を離散した液滴として分与することのできる分与要素を有する流体ディスペンサを提供する工程と、
制御された軌道に沿って分与要素からプロテーゼの表面に有益な薬剤を分与する工程とを含み、有益な薬剤の制御された軌道が、プロテーゼの中心軸と交差しないように整列される方法。
【請求項２】
分与工程が、プロテーゼの表面に実質的に接する制御された軌道で有益な薬剤を分与する、請求項１に記載の方法。
【請求項３】
プロテーゼの所定部分に有益な薬剤を送達するための分与経路を画定するために、分与要素とプロテーゼとの間に相対運動を生成する工程をさらに含む、請求項１に記載の方法。
【請求項４】
生成工程によって画定される分与経路が、プロテーゼの表面に沿って一連の平行な通過を含む、請求項３に記載の方法。
【請求項５】
生成工程中の分与要素とプロテーゼとの間の相対運動が、実質的に一定速度で実行される、請求項３に記載の方法。
【請求項６】
プロテーゼが、開口部を構造部材の間に画定する複数の相互接続された構造部材を有する、請求項３に記載の方法。
【請求項７】
分与工程は、分与要素がプロテーゼの構造部材と整列されたことを検出する工程をさらに含む、請求項６に記載の方法。
【請求項８】
分与工程は、選択された場所のプロテーゼ上の有益な薬剤の局所面密度を変化させるように、有益な薬剤がプロテーゼに沿って選択された場所に装填される相対速度を変える工程を含む、請求項３に記載の方法。
【請求項９】
相対速度を変える工程は、有益な薬剤の液滴が、分与経路の単位長に沿って塗布される頻度を変える工程をさらに含む、請求項８に記載の方法。
【請求項１０】
相対速度を変える工程が、分与要素とプロテーゼとの間の相対運動を変化させる工程を含む、請求項８に記載の方法。
【請求項１１】
プロテーゼから送達されるべき第２の有益な薬剤を提供する工程と、
制御された軌道に沿って離散した液滴として第２の有益な薬剤を分与することのできる第２の分与要素を提供する工程と、
第２の分与経路に沿って第２の分与要素とプロテーゼとの間に相対運動を生成する工程と、
第２の分与経路に沿って第２の分与要素からプロテーゼの第２の所定部分に第２の有益な薬剤を分与する工程とをさらに含む、請求項３に記載の方法。
【請求項１２】
分与要素から分与される有益な薬剤の選択された液滴に表面電荷を印加する工程をさらに含む、請求項１に記載の方法。
【請求項１３】
印加工程によって荷電された有益な薬剤の選択された液滴の制御された軌道が、偏向場によって変えられる、請求項１２に記載の方法。
【請求項１４】
有益な薬剤提供工程によって提供される有益な薬剤が、抗血栓剤、抗凝血剤、抗血小板剤、抗脂質剤、血栓溶解剤、抗増殖剤、抗炎症薬、過形成を抑制する薬剤、平滑筋細胞の阻害物質、抗生物質、成長因子阻害剤、細胞接着阻害剤、細胞接着促進剤、細胞分裂抑制薬、抗線溶剤、抗酸化剤、抗新生物薬、内皮細胞の修復を促進する薬剤、抗アレルギー薬、放射線不透過性物質、ウイルスベクター、アンチセンス化合物、オリゴヌクレオチド、細胞浸透エンハンサー、血管形成剤、およびこれらの混合物から成る群から選択される、請求項１に記載の方法。
【請求項１５】
有益な薬剤提供工程によって提供される有益な薬剤が、パクリタキセル、ラパマイシン、エベロリムス、ヘパリン、エストラジオール、デキサメタゾン、これらの類似体、およびこれらの混合物から選択される、請求項１に記載の方法。
【請求項１６】
ラパマイシンの類似体は、３Ｓ，６Ｒ，７Ｅ，９Ｒ，１０Ｒ，１２Ｒ，１４Ｓ，１５Ｅ，１７Ｅ，１９Ｅ，２１Ｓ，２３Ｓ，２６Ｒ，２７Ｒ，３４ａＳ）−９，１０，１２，１３，１４，２１，２２，２３，２４，２５，２６，２７，３２，３３，３４，３４ａ−ヘキサデカヒドロ−９，２７−ジヒドロキシ−３−［（１Ｒ）−２−［（１Ｓ，３Ｒ，４Ｒ）−３−メトキシ−４−テトラゾール−１−ｙｌ］シクロヘキシル］−１−メチルエチル］−１０，２１−ジメトキシ−６，８，１２，１４，２０，２６−ヘキサメチル−２３，２７−エポキシ−３Ｈ−ピリド［２，１−ｃ］［１，４］オクサアガシクロヘントリアコンチン−１，５，１１，２８，２９（４Ｈ，６Ｈ，３１Ｈ）−ペントン；２３，２７−エポキシ−３Ｈ−ピリド［２，１−ｃ］［１，４］オクサアガシクロヘントリアコンチン−１，５，１１，２８，２９（４Ｈ，６Ｈ，３１Ｈ）−ペントンである、請求項１５に記載の方法。
【請求項１７】
有益な薬剤提供工程によって提供される有益な薬剤が、溶剤中に拡散される、請求項１に記載の方法。
【請求項１８】
溶剤がイソブタノールである、請求項１７に記載の方法。
【請求項１９】
分与工程が、プロテーゼの選択された部分に結合剤と共に有益な薬剤を分与する工程を含む、請求項１に記載の方法。
【請求項２０】
結合剤が生物分解性である、請求項１９に記載の方法。
【請求項２１】
プロテーゼの表面の少なくとも一部分上に基材の層を塗布する工程をさらに含み、かつ、さらに分与工程が、分与要素から基材層の所定部分に有益な薬剤を選択的に分与する工程をさらに含む、請求項１に記載の方法。
【請求項２２】
塗布工程によって提供される基材層が、ホスホリルコリン結合高分子であり、かつ、さらに有益な薬剤がデキサメタゾンを含む、請求項２１に記載の方法。
【請求項２３】
プロテーゼに装填される有益な薬剤の量を決定する決定工程をさらに含み、該決定工程が、プロテーゼ上に装填される識別可能なマーカの量を検出して、プロテーゼ上に装填される相当する有益な薬剤の量を決定する工程を含む、請求項１に記載の方法。
【請求項２４】
管腔内に送達するためのプロテーゼ上に有益な薬剤を装填する方法であって、
管腔内に配置されるプロテーゼを提供する工程と、
プロテーゼから送達されるべき有益な薬剤を提供する工程と、
各々制御された軌道を有する離散した液滴として有益な薬剤を分与することのできる分与要素を有する流体ディスペンサを提供する工程と、
離散した有益な薬剤の液滴を、ラスターフォーマットとして分与するための分与経路を画定するように、分与要素とプロテーゼとの間に相対運動を生成する工程と、
分与経路に沿って分与要素からプロテーゼの所定部分に有益な薬剤を選択的に分与する工程とを含む、方法。
【請求項２５】
プロテーゼ提供工程によって提供されるプロテーゼが、構造部材の間に開口部を画定する複数の相互接続された構造部材を含み、分与工程が、分与要素がプロテーゼの所定部分内の構造部材と整列されたときに有益な薬剤を分与する工程、および分与要素がプロテーゼの開口部と整列されたときに有益な薬剤がプロテーゼに分与されるのを停止する工程を含む、請求項２４に記載の方法。
【請求項２６】
分与工程が、分与要素がプロテーゼの所定部分内の構造部材と整列されたことを検出する工程をさらに含む、請求項２５に記載の方法。
【請求項２７】
プロテーゼ上に装填される有益な薬剤の量を決定する工程をさらに含み、決定工程が、プロテーゼ上に装填される識別可能なマーカの量を決定して、プロテーゼ上に装填されるこれに相当する有益な薬剤の量を決定する工程を含む、請求項２４に記載の方法。
【請求項２８】
管腔内に送達するためのプロテーゼ上に有益な薬剤を装填するシステムであって、
管腔内に配置されるプロテーゼを支持するホルダと、
有益な薬剤を離散した液滴として分与することのできる分与要素を有する流体ディスペンサであり、各液滴は制御された軌道を有し、分与要素およびホルダは相互に対して可動である、流体ディスペンサと、
分与要素とホルダとの間に相対運動を生成するドライバと、
有益な薬剤の離散した液滴をラスターフォーマットで分与するための分与経路を画定するためにドライバと通信しているコントローラであり、分与経路に沿って分与要素からホルダによって支持されたプロテーゼの所定部分に有益な薬剤を選択的に分与するために、コントローラも分与要素と通信しているコントローラとを備える、システム。
【請求項２９】
分与要素が、ホルダによって支持されたプロテーゼの所定部分と整列されたことを検出するための検出器をさらに備える、請求項２８に記載のシステム。
【請求項３０】
ホルダが、超弾性材料から製造されるスピンドルを備える、請求項２８に記載のシステム。
【請求項３１】
コントローラは、有益な薬剤が分与されるプロテーゼの所定部分に対してプログラムされる、請求項２８に記載のシステム。
【請求項３２】
プロテーゼ上に装填される有益な薬剤の量を決定するためにコントローラに通信している検出器をさらに備え、検出器が、プロテーゼ上に装填される識別可能なマーカの量を検出して、プロテーゼに装填される相当する有益な薬剤の量を決定する、請求項２８に記載のシステム。